(57)【要約】【課題】コーンと楔緊結板とが固着される構造の緊結具を備えた型枠保持具において、脱型時のコーンの抜き取りを容易にして、コーン及び楔緊結板の転用率を向上させる。【解決手段】本発明の型枠保持具１は、セパレータ３の一端または両端に円錐台形状の合成樹脂製コーン５と、楔穴６１を有する略羽子板状の金属製楔緊結板６とを組み合わせてなる緊結具７が設けられたもので、コーン５には大径側底面に開口する中空凹部５３が形成され、一端にフランジ５１ａを有する金属製の継手ナット５１がコーン５の軸部に嵌合される。継手ナット５１にはセパレータ３の雄ネジ３２が螺合される一方、楔緊結板６の基部がカシメ固着され、さらに、コーン５の中空凹部５３に発泡性樹脂からなる板状の蓋体５４が装着されて中空凹部５３の開口面を被覆する。【選択図】図１
2005105583.tif 000002
【特許請求の範囲】
【請求項１】
所定長さの棒状体からなるセパレータの一端または両端に、外形略円錐台形状の合成樹脂製コーンと、楔穴を有する略羽子板状の金属製楔緊結板とを組み合わせてなる緊結具が設けられた型枠保持具において、
上記コーンには大径側底面に開口する中空凹部が形成され、一端にフランジを有する金属製の継手ナットが、当該フランジの端面をコーンの小径側底面と面一に揃え、かつ、フランジの反対側に位置する頭部をコーンの中空凹部内に突出させるようにして、コーンの軸部に嵌合され、
継手ナットの内周面に形成された雌ネジに、フランジ側から、セパレータの端部に形成された雄ネジが螺合される一方、頭部側から、楔緊結板の基部に形成された雄ネジが螺合されて継手ナットにカシメ固着され、
コーンの中空凹部に発泡性樹脂からなる板状の蓋体が装着されて、この蓋体が上記中空凹部の開口面を被覆するように形成されたことを特徴とする型枠保持具。
【請求項２】
蓋体は、発泡倍率が３倍ないし７倍のポリエチレン樹脂からなり、外形がコーンの中空凹部よりも僅かに大きく形成されるとともに、中央部には楔緊結板の最大横断面よりも小さい面積の長孔が形成され、この長孔を強制的に押し拡げて楔緊結板を挿通させることによりコーンの中空凹部に圧縮状態で嵌装されたことを特徴とする請求項１記載の型枠保持具。
【発明の詳細な説明】
【技術分野】
【０００１】
本発明は、鉄筋コンクリート型枠を所定の間隔で保持するための型枠保持具に関する。
【背景技術】
【０００２】
鉄筋コンクリート構造体の壁部や基礎を構成する型枠は、通常、堰板となる型枠パネルを縦横方向に連設し、相対する型枠パネル同士をセパレータやコーン、フォームタイ等を組み合わせた緊結具で所定間隔に保持して構築される。
【０００３】
本出願人は、特に基礎や擁壁、半地下構造物の壁部などの型枠工事において、型枠の建て込みにメタルフォーム（鋼板製パネル）を多用しているが、壁部の表面に岩石調の凹凸模様を付与する場合には、メタルフォームの内側に模様板を重ね、この模様板とメタルフォームとを一体に保持する必要がある。かかる事情から、本出願人は、メタルフォームと模様板とを容易に精度良く保持することのできる型枠保持具として、特許文献１記載の型枠保持具を開発し、既にその実用化を図っている。
【０００４】
この型枠保持具は、所定長さの棒状体からなるセパレータ（保持具本体）の一端に、型枠パネルの内外両側縁に掛止可能なパネル掛止部（第１規制部材）を固定し、上記セパレータの他端に、合成樹脂製のコーン（接合部材）と略羽子板状の楔緊結板（挿入部材）とを組み合わせた緊結具を設けたものである。パネル係止部は、隣接する型枠パネルの間に挟み込まれて両型枠パネルの内外両側縁に掛止され得るように、金属製薄板を側面視略Ｈ形に折曲して形成されている。コーンは、軸部に形成された雌ネジ孔がセパレータの端部に形成された雄ネジに螺合されて着脱自在となされている。楔緊結板は、その最大幅がコーンの大径側底面の外径よりも小さくなるように形成されるとともに、基端にローレット軸が突設されて、このローレット軸がコーンの大径側からコーンの軸部に圧入及びカシメ固着されている。
【特許文献１】特開平１１−６２９３号公報
【発明の開示】
【発明が解決しようとする課題】
【０００５】
上記特許文献１記載の型枠保持具においては、楔緊結板の基端に形成したローレット軸をコーンの軸部に圧入及びカシメ固着することによって、コーンと楔緊結板とを結合している。そして、この固着作業のための必要から、大径側に中空凹部を有し、その中央にボス部が突出した形状のコーンを利用している。
【０００６】
しかしながら、型枠パネル及び模様板の解体後、コンクリートから突出した楔緊結板を回転させてコーンをコンクリートから抜き取ろうとすると、コーンの軸部の固着強度がコーンの外周面に密着したコンクリートの抵抗に負けて変形し、楔緊結板だけが抜き取られてしまう場合があった。
【０００７】
また、コーンの大径側底面と模様板との密着面にコンクリートのノロ（セメント成分）が侵入してコーンの中空凹部内にまで回り込み、コーンがコンクリート内に埋没した状態になって、コーンの抜き取りが一層困難になったり、楔緊結板の基部が折れてしまうこともあった。
【０００８】
このような問題が生じると、本来、繰り返して使用できるはずのコーン及び楔緊結板が一度しか使用できなくなり、型枠工事の経済性が低下する。そこで本発明は、コーンと楔緊結板とが固着される構造の緊結具を備えた型枠保持具において、脱型後、コンクリート内からコーンを確実に抜き取って、コーン及び楔緊結板の転用率を向上させることのできる型枠保持具を提供することを解決課題とする。
【課題を解決するための手段】
【０００９】
上記課題を達成するため、本発明の型枠保持具は、所定長さの棒状体からなるセパレータの一端または両端に、外形略円錐台形状の合成樹脂製コーンと、楔穴を有する略羽子板状の金属製楔緊結板とを組み合わせてなる緊結具が設けられた型枠保持具において、上記コーンには大径側底面に開口する中空凹部が形成され、一端にフランジを有する金属製の継手ナットが、当該フランジの端面をコーンの小径側底面と面一に揃え、かつ、フランジの反対側に位置する頭部をコーンの中空凹部内に突出させるようにして、コーンの軸部に嵌合され、継手ナットの内周面に形成された雌ネジに、フランジ側から、セパレータの端部に形成された雄ネジが螺合される一方、頭部側から、楔緊結板の基部に形成された雄ネジが螺合されて継手ナットにカシメ固着され、コーンの中空凹部に発泡性樹脂からなる板状の蓋体が装着されて、この蓋体の表面とコーンの大径側底面とが面一になるように形成されたことを特徴とする。
【００１０】
さらに本発明は、上記蓋体が、発泡倍率が３倍ないし７倍のポリエチレン樹脂からなり、外形がコーンの中空凹部よりも僅かに大きく形成されるとともに、中央部には楔緊結板の最大横断面よりも小さい面積の長孔が形成され、この長孔を強制的に押し拡げて楔緊結板を挿通させることによりコーンの中空凹部に圧縮状態で嵌装されたことを特徴とする。
【発明の効果】
【００１１】
上述のように構成される本発明の型枠保持具によれば、コーンの軸部に嵌合された金属製の継手ナットと楔緊結板とがカシメ固着されるので、脱型後に楔緊結板を回転させてコーンを抜き取る際にも、コーンの軸部の固着強度がコーンの外周面に密着したコンクリートの抵抗に負けることなく、楔緊結板及びコーンを良好に抜き取ることができる。
【００１２】
また、コーンの大径側底面に形成された中空凹部が蓋体よって被覆されるので、コンクリートのノロがコーンの中空凹部内にまで回り込むのを防ぐことができ、コーンの抜き取りが容易になる。この蓋体を発泡性樹脂により形成すれば、楔緊結板を継手ナットに固着してからでも、容易にコーンに装着することができ、かつ、コーンの大径側底面を隙間なく塞ぐことができる。
【００１３】
そして、これらにより、コーン及び楔緊結板の転用率が上がり、型枠工事の経済性が向上する。
【発明を実施するための最良の形態】
【００１４】
以下、本発明の実施の形態について図を参照して説明する。
【００１５】
図１は本発明の型枠保持具１の全体構成を示し、図２は型枠保持具１の使用状態を示す。図２の使用状態は、相対する型枠パネル２で壁部の型枠を建て込むにあたり、上段と下段の型枠パネル２間に本発明の型枠保持具１を水平方向に取り付けたものである。例示した型枠パネル２は、平坦な鋼板製堰板２１の裏面周縁部にリップ付きのリブ２２が一体に形成されたメタルフォームであるが、リブ２２の断面形状は、厚みが均一である限り特に限定されず、例えば矩形断面の鋼管を堰板２１に固着したようなものであってもよい。また、この例では、図示右側の型枠パネル２の内側に模様板２３が建て込まれているが、この模様板２３がない形態でも本発明は実施可能である。
【００１６】
型枠保持具１は、所定長さの棒状体からなるセパレータ３の一端（図示左側）に、型枠パネル２のリブ２２に掛止可能なパネル掛止部４を備え、他端（図示右側）に、円錐台形状のコーン５と略羽子板状の楔緊結板６とを組み合わせた緊結具７を備えている。
【００１７】
例示のセパレータ３は、中間部に「く」の字状の屈曲部３１が形成されており、セパレータ３が型枠内の配筋と干渉する場合には、型枠保持具１全体を軸回りに反転させて配筋との干渉を避けられるようになっている。
【００１８】
パネル掛止部４は金属製の薄板を折曲して形成されたもので、図２に示すようにして隣接する型枠パネル２の間に挟み込まれる平坦部４１と、平坦部４１の縁部を折り返して形成された上下一対ずつ、計４箇所の爪片４２とを備え、側方から見た形状が略Ｈ形となっている。爪片４２は、内外の対向間隔が型枠パネル２のリブ２２の厚みと合致しており、図２に示すようにして上下の型枠パネル２のリブ２２に掛止される。平坦部４１にはセパレータ３側に延びる細幅の延出部４３が形成され、この延出部４３にセパレータ３が溶接等によって固着されている。
【００１９】
緊結具７は、合成樹脂製のコーン５と、コーン５の軸部に嵌合されたフランジ付きの継手ナット５１と、コーン５の外側（大径側）から継手ナット５１に結合された略羽子板状の楔緊結板６とを備えている。継手ナット５１は、フランジ５１ａをセパレータ３側に向けて、インサート成形等によりコーン５と一体化されており、この継手ナット５１がセパレータ３の端部に形成された雄ネジ３２に対して離脱可能に螺着されている。継手ナット５１の頭部（六角部）５１ｂは、コーン５を貫通して、コーン５の大径側に形成された中空凹部５３内に突出している。
【００２０】
楔緊結板６は、十分な曲げ剛性を有する鋼製の板材に細長い楔穴６１を設けた部材で、基端部に形成された雄ネジ６２が継手ナット５１の頭部５１ｂに螺入された後、カシメ固着されている。楔緊結板６の最大幅は、コーン５の中空凹部５３の内径よりも小さくなるように形成されている。
【００２１】
この緊結具７においては、楔緊結板６と継手ナット５１とを固着する必要から、大径側に中空凹部５３を有するコーン５が利用されるが、この中空凹部５３にコンクリートのノロが侵入するのを防止するため、この中空凹部５３が円板状の蓋体５４で塞がれる。蓋体５４は、適度な伸縮性を有するポリエチレン樹脂等の発泡性樹脂からなり、中央に長穴５５が形成されている。蓋体５４を構成する発泡性樹脂の発泡倍率は３〜７倍、好ましくは５倍程度に設定され、蓋体５４の外形はコーン５に形成された中空凹部５４の内径よりも僅かに大きく、かつ、長穴５５の開口面積が楔緊結板６の最大断面積よりも小さくなるように形成されている。
【００２２】
そして、継手ナット５１と楔緊結板６とをカシメ固着した後、楔緊結板６の先端側から蓋体５４を嵌装し、長穴５５を強制的に押し拡げつつ蓋体５４をコーン５まで送り込むことにより、蓋体５４がコーン５の中空凹部５３に圧縮状態で嵌合される。楔緊結板６は中間部に比べて基端部側が縮幅しているが、蓋体５４に適度な伸縮性を有する発泡性樹脂を採用することにより、蓋体５４を中空凹部５３に嵌合した状態でも、コーン５の大径側底面を、ほとんど隙間なく塞ぐことができる。なお、蓋体５３をコーン５に嵌合する際には、蓋体５３の表面をコーン５の大径側底面と面一に揃えるか、あるいは蓋体５３の表面をコーン５の大径側底面から若干突出させるのが好ましい。
【００２３】
この緊結具７は、図２に示すように、コーン５の上下各半分を模様板２３の仕上面に密着させ、楔緊結板６を上下の型枠パネル２の間に挟み込んだ状態で保持される。そして、型枠パネル２のリブ２２よりも外側に突出した楔緊結板６の楔穴６１に楔８を嵌入して緊結固定される。楔８は上下の型枠パネル２のリブ２２に密着するので、上下の型枠パネル２の仕上面における平坦性も精度良く確保されることになる。
【００２４】
このようにして建て込まれた型枠では、コーン５の大径側底面と模様板２３の仕上面との間に多少の隙間が生じていても、コーン５の中空凹部５３が蓋体５４によって塞がれているので、コンクリートのノロが中空凹部５３内にまでは回り込まない。したがって、コーン５の表面に被さるノロの量を最小限に抑えることができる。蓋体５３の表面がコーン５の大径側底面より若干突出していると、上記楔８による緊結作業によって蓋体５３が圧縮され、模様板２３との密着性はさらに向上する。
【００２５】
脱型時には、楔８を抜いて両側の型枠パネル２を取り外し、楔緊結板６を適宜の工具で回転させると、コーン５をセパレータ３から容易に抜き取ることができる。楔緊結板６は金属製の継手ナット５１に対してカシメ固着されているので、コーン５の外周面に密着したコンクリートの抵抗に負けることのない十分な固着強度が得られる。万一、楔緊結板５１の回転操作によって継手ナット５１がコーン５内で空転した場合でも、コーン５の損傷は軽微であり、再利用に支障は生じない。
【００２６】
また、パネル掛止部４についても、コンクリートから突出した部分を適宜の工具で挟持し、平坦部４１と延出部４３との境目の位置（図１に示した破線部）で数回折り曲げることにより、容易に折り切ることができる。コンクリートの仕上面には延出部４３の断面しか露出しないので、仕上がりの美観も良好である。
【００２７】
こうして本発明の型枠保持具１を利用することにより、型枠パネル２を精度良く建て込むことができ、かつ脱型作業も容易になる。そして、コーン５及び楔緊結板６の損傷が減少し、転用率が向上する。
【００２８】
なお、本発明は、上記のようにセパレータ３の一端にのみ緊結具７を備える型枠保持具１のみならず、セパレータ３の両端に同じ緊結具７を備える型枠保持具についても適用可能である。
【図面の簡単な説明】
【００２９】
【図１】本発明の実施形態に係る型枠保持具１の構成を示す分解斜視図である。
【図２】上記型枠保持具１を壁部の型枠に使用した状態を示す断面図である。
【符号の説明】
【００３０】
１      型枠保持具
３      セパレータ
３２    雄ネジ
５      コーン
５１    継手ナット
５１ａ  フランジ
５１ｂ  頭部
５３    中空凹部
５４    蓋体
６      楔緊結板
６１    楔穴
６２    雄ネジ
７      緊結具
【図１】
2005105583.tif 000003
【図２】
2005105583.tif 000004